(57)【要約】【課題】柱および梁の強度が高く、また、専門職でなくても施工可能で施工費の低減を図ることができる建築構造を提供する。【解決手段】１対の柱３と１対の柱側係合部材４と１対の梁側係合部材５と梁６と横架ボルト７とを有する。各柱側係合部材４は取付部４１と受け部４２とを有し、各取付部４１は各柱３の側面上部に取り付けられる。各梁側係合部材５は支持部５１と挿入部５２とを有する。各支持部５１は上部で梁６のそれぞれ反対端を支持可能に設けられる。各挿入部５２は各受け部４２に上方から係合可能である。梁６は各支持部５１でそれぞれ両端を支持される。横架ボルト７は両端に雄ネジ部を有し、各柱３および各取付部４１を貫通して梁６の下方で梁６と平行に伸びる。横架ボルト７は、両端が雄ネジ部と螺合するナットで各柱３にそれぞれ締め付けられて各柱３で支持されている。【選択図】図１
2018066167.tif 000002
【特許請求の範囲】
【請求項１】
１対の柱と１対の柱側係合部材と１対の梁側係合部材と梁と横架ボルトとを有し、
各柱側係合部材は取付部と受け部とを有し、各取付部は各柱の側面上部に取り付けられ、各受け部は各取付部に一体的に設けられ、
各梁側係合部材は支持部と挿入部とを有し、各支持部は上部で前記梁のそれぞれ反対端を支持可能に設けられ、各挿入部は各支持部に一体的に設けられて各受け部に上方から係合可能な構成を有し、
前記梁は各支持部でそれぞれ両端を支持され、
前記横架ボルトは両端に雄ネジ部を有し、各柱および各取付部を貫通して前記梁の下方で前記梁と平行に伸び、両端が前記雄ネジ部と螺合するナットで各柱にそれぞれ締め付けられて各柱で支持されていることを、
特徴とする建築構造。
【請求項２】
基礎と土台とを有し、前記基礎は一端が上方に突出するアンカーボルトを有し、前記土台は前記アンカーボルトを上方に突出させる貫通孔を有して前記基礎の上部に設けられ、前記取付部は固定部と支持ボルトとを有し、前記固定部は上下方向に貫通する取付孔を有して各柱の前記側面上部に取り付けられ、前記支持ボルトは前記取付孔に上方から挿入されて下端が前記アンカーボルトの上端に取り付けられていることを、特徴とする請求項１記載の建築構造。
【請求項３】
前記柱は下端が箱体の内部に取り付けられ、前記箱体は前記土台の上部に取り付けられていることを、特徴とする請求項２記載の建築構造。
【請求項４】
前記固定部は板状であって上板部と中間板部と下板部とを有し、前記上板部と前記下板部とは前記中間板部に対し反対方向に直角に折れ曲がっており、前記上板部は前記柱の上端に沿って配置され、前記中間板部は前記柱の側面上部に沿って取り付けられ、前記下板部は前記取付孔を有し、
ホールダウン金物を有し、前記ホールダウン金物は前記柱の側面下部に取り付けられ、前記アンカーボルトは前記ホールダウン金物に挿入され、
前記支持ボルトはターンバックルを介して前記アンカーボルトに取り付けられていることを、
特徴とする請求項２または３記載の建築構造。
【発明の詳細な説明】
【技術分野】
【０００１】
本発明は、建築構造に関する。
【背景技術】
【０００２】
従来の建築構造として、柱と梁とを接合継手で接合したものが知られている（例えば、特許文献１参照）。
【先行技術文献】
【特許文献】
【０００３】
【特許文献１】特開２００２−２１３０２０号公報
【発明の概要】
【発明が解決しようとする課題】
【０００４】
しかしながら、特許文献１に記載の建築構造では、梁の端部に接合継手を挿入するための溝を形成するため、梁の断面欠損により強度が低下するという課題があった。また、梁を接合継手にピンで固定する必要があるため、大工などの専門職による施工が必要となり、施工費がかさむという課題があった。
【０００５】
本発明は、このような課題に着目してなされたもので、柱および梁の強度が高く、また、専門職でなくても施工可能で施工費の低減を図ることができる建築構造を提供することを目的とする。
【課題を解決するための手段】
【０００６】
上記目的を達成するために、本発明に係る建築構造は、１対の柱と１対の柱側係合部材と１対の梁側係合部材と梁と横架ボルトとを有し、各柱側係合部材は取付部と受け部とを有し、各取付部は各柱の側面上部に取り付けられ、各受け部は各取付部に一体的に設けられ、各梁側係合部材は支持部と挿入部とを有し、各支持部は上部で前記梁のそれぞれ反対端を支持可能に設けられ、各挿入部は各支持部に一体的に設けられて各受け部に上方から係合可能な構成を有し、前記梁は各支持部でそれぞれ両端を支持され、前記横架ボルトは両端に雄ネジ部を有し、各柱および各取付部を貫通して前記梁の下方で前記梁と平行に伸び、両端が前記雄ネジ部と螺合するナットで各柱にそれぞれ締め付けられて各柱で支持されていることを、特徴とする。
【０００７】
本発明に係る建築構造は、１対の柱側係合部材の取付部が各柱の側面上部に取り付けられ、１対の梁側係合部材の支持部が梁のそれぞれ反対端を支持し、各梁側係合部材の挿入部が各柱側係合部材の受け部に係合して、１対の柱と梁とが結合されるので、専門職でなくても施工可能で施工費の低減を図ることができる。また、柱および梁を断面欠損なしに結合できるため、柱および梁の強度が高い。さらに、横架ボルトが梁の下方で梁と平行に伸びて各柱にそれぞれ締め付けられているので、柱および梁の強度がより高められている。
【０００８】
本発明に係る建築構造は、基礎と土台とを有し、前記基礎は一端が上方に突出するアンカーボルトを有し、前記土台は前記アンカーボルトを上方に突出させる貫通孔を有して前記基礎の上部に設けられ、前記取付部は固定部と支持ボルトとを有し、前記固定部は上下方向に貫通する取付孔を有して各柱の前記側面上部に取り付けられ、前記支持ボルトは前記取付孔に上方から挿入されて下端が前記アンカーボルトの上端に取り付けられていることが好ましい。
この場合、土台を貫通した基礎のアンカーボルトの上端に、柱の側面上部に取り付けられた支持ボルトの下端が取り付けられているので、さらに柱および梁の強度が高められている。
【０００９】
本発明に係る建築構造において、前記柱は下端が箱体の内部に取り付けられ、前記箱体は前記土台の上部に取り付けられていることが好ましい。
この場合、柱の下端を断面欠損なしに土台に固定できるため、柱および梁の強度が高い。
【００１０】
本発明に係る建築構造において、前記固定部は板状であって上板部と中間板部と下板部とを有し、前記上板部と前記下板部とは前記中間板部に対し反対方向に直角に折れ曲がっており、前記上板部は前記柱の上端に沿って配置され、前記中間板部は前記柱の側面上部に沿って取り付けられ、前記下板部は前記取付孔を有し、ホールダウン金物を有し、前記ホールダウン金物は前記柱の側面下部に取り付けられ、前記アンカーボルトは前記ホールダウン金物に挿入され、前記支持ボルトはターンバックルを介して前記アンカーボルトに取り付けられていることが好ましい。
【００１１】
この場合、アンカーボルトがホールダウン金物に挿入されているので、柱の強度がより高められている。また、支持ボルトがターンバックルを介してアンカーボルトに取り付けられているので、支持ボルトの張力の調整が容易である。
【発明の効果】
【００１２】
本発明によれば、柱および梁の強度が高く、また、専門職でなくても施工可能で施工費の低減を図ることができる建築構造を提供することができる。
【図面の簡単な説明】
【００１３】
【図１】本発明の実施の形態の建築構造の施工状態を示す斜視図である。
【図２】図１に示す建築構造の下部構造を示す側面図である。
【発明を実施するための形態】
【００１４】
以下、図面に基づき、本発明の実施の形態について説明する。
図１および図２は、本発明の実施の形態の建築構造を示している。
図１および図２に示すように、本発明の実施の形態の建築構造は、基礎１と土台２と１対の柱３と１対の柱側係合部材４と１対の梁側係合部材５と梁６と横架ボルト７とホールダウン金物８とを有している。
基礎１は、一端が鉛直方向上方に突出するアンカーボルト１１を有している。土台２は、アンカーボルト１１を上方に突出させる貫通孔を有して基礎１の上部に配置されている。土台２の上部には、上部に開口を有する箱体２１がスクリューボルトで固定されている。柱３は、下端が箱体２１の内部に嵌合され、側部が箱体２１にスクリューボルトで固定されている。土台２の上部には、箱体２１を両側から挟む位置に板材２２が固定されている。板材２２は、断面Ｌ字状で、上縁にフックを有している。板材２２は、土台２の上部および箱体２１の側面に固定され、フックが箱体２１の開口縁部と係合している。一方の板材２２は、土台２の貫通孔と一致する孔を有している。
【００１５】
各柱側係合部材４は、取付部４１と１対の受け部４２とを有している。取付部４１は、固定部４３と支持ボルト４４とを有している。固定部４３は、板状であって上板部４３aと中間板部４３ｂと下板部４３ｃとを一体的に有している。上板部４３aと下板部４３ｃとは、中間板部４３ｂに対し反対方向に直角に折れ曲がっている。上板部４３aは、柱３の上端に沿って配置され、柱３の上端に釘で固定される。中間板部４３ｂは、柱３の側面上部に沿って取り付けられ、柱３の側面上部に釘で固定される。下板部４３ｃは、中央に上下方向に貫通する取付孔を有している。
【００１６】
支持ボルト４４は、取付孔に上方から挿入されて頭部４４aが下板部４３ｃの上側で支持され、下端がアンカーボルト１１の上端に取り付けられている。
各受け部４２は、直方体の筒状であって、中間板部４３ｂおよび下板部４３ｃに一体的に設けられている。各受け部４２は、下端が各下板部４３ｃを挟む両側に配置されている。各受け部４２は、上部に挿入口を有し、各下板部４３ｃに対し垂直に伸びている。
【００１７】
各梁側係合部材５は、支持部５１と挿入部５２とを有している。各支持部５１は、長方形状の底板５１aと１対の側板５１ｂとを一体的に有している。各側板５１ｂは、互いに対向し、底板５１aの縁部に対し垂直に伸びている。各底板５１aは、上部で梁６のそれぞれ反対端を支持可能であり、梁６にスクリューボルト５３で固定されている。底板５１aは、梁６の幅とほぼ同じか、やや広い幅を有している。各側板５１ｂは、梁６の側面に沿って配置され、梁６の側面に釘で固定されている。各挿入部５２は、挿入板５２aと補強板５２ｂとを有している。補強板５２ｂは、挿入板５２aの両縁に垂直をなしている。各挿入部５２は、各支持部５１に一体的に設けられ、底板５１aの下側端部に垂直に取り付けられている。各挿入部５２は、各受け部４２に上方から挿入されて各受け部４２と係合可能であり、端部が各受け部４２から突出して柱３の側部に釘で固定されている。これにより、梁６は、両端が柱３に結合している。
【００１８】
横架ボルト７は、両端に雄ネジ部を有し、各柱３および各取付部４１を貫通して梁６の下方で梁６と平行に伸びている。横架ボルト７は、両端が各柱３から突出して、板材を挟んで雄ネジ部と螺合するナット７１，７２で各柱３の互いに反対面にそれぞれ締め付けられて各柱３で支持されている。
ホールダウン金物８は、各柱３の側面下部に取り付けられている。アンカーボルト１１は、ホールダウン金物８に下方から挿入され、先端が上方に突出している。支持ボルト４４は、ターンバックル４５および接続用高ナット４６，４７を介してアンカーボルト１１の先端に取り付けられている。
【００１９】
次に、作用について説明する。
本実施の形態の建築構造は、１対の柱側係合部材４の取付部４１が各柱３の側面上部に取り付けられ、１対の梁側係合部材５の支持部５１が梁６のそれぞれ反対端を支持し、各梁側係合部材５の挿入部５２が各柱側係合部材４の受け部４２に係合して、１対の柱３と梁６とが結合されるので、大工などの専門職でなくても施工可能である。専門職以外の労働者でも上棟できるので、人手不足の解消と、施工費の低減を図ることができる。短期間で施工可能なため、すばやく建て、一定期間後に解体する仮設住宅のような建物に適している。その仮設住宅は、海外の災害支援・難民支援に利用することもできる。
【００２０】
また、柱３および梁６を断面欠損なしに結合できるため、柱３および梁６の強度が高く、柱３および梁６は最大限の強度を発揮できる。また、柱３および梁６は、プレカットの必要がほとんど無いので、加工コストの低減を図ることができる。さらに、横架ボルト７が梁６の下方で梁６と平行に伸びて各柱３にそれぞれ締め付けられているので、柱３および梁６の強度がより高められている。
【００２１】
また、土台２を貫通した基礎１のアンカーボルト１１の上端に、柱３の側面上部に取り付けられた支持ボルト４４の下端が取り付けられているので、さらに柱３および梁６の強度が高められている。
また、柱３の下端を断面欠損なしに土台２に固定できるため、柱３および梁６の強度が高い。さらに、アンカーボルト１１がホールダウン金物８に挿入されているので、柱３の強度がより高められている。また、支持ボルト４４がターンバックル４５を介してアンカーボルト１１に取り付けられているので、支持ボルト４４の張力の調整が容易である。
【００２２】
このように、本実施の形態の建築構造は、柱３および梁６の強度が高く、さらに、横架ボルト７や支持ボルト４４、ホールダウン金物８などで強度が高められているので、耐震性能に優れている。また、構造がシンプルなので、部材の再利用が容易である。
【００２３】
本実施の形態の建築構造は、土台１、柱３および梁６で直方体状の枠を構成して、家屋その他の木造建築物に用いることができる。この場合、個々の部材・部位・金具を緊結するだけでなく、建物全体の安定化を図り、全体を包むように外周面を形成して、安定した形に配置する。それにより、建物の地震時の揺れや歪に対抗することができる。
本実施の形態の建築構造による建築物は、平屋建築物のほか、２階建て建築物や３階建て建築物であってもよい。津波対策で１階、２階の低層部を鉄筋コンクリートで施工し、その上層部の、３階、４階に利用されてもよい。
【符号の説明】
【００２４】
１  基礎
２  土台
３  柱
４  柱側係合部材
５  梁側係合部材
６  梁
７  横架ボルト
８  ホールダウン金物
１１  アンカーボルト
２１  箱体
２２  板材
４１  取付部
４２  受け部
４３  固定部
４４  支持ボルト
４３ａ  上板部
４３ｂ  中間板部
４３ｃ  下板部
４４  支持ボルト
４４ａ  頭部
４５  ターンバックル
４６，４７  接続用高ナット
５１  支持部
５１ａ  底板
５１ｂ  側板
５２  挿入部
５２a  挿入板
５２ｂ  補強板
５３  スクリューボルト
７１，７２  ナット
【図１】
2018066167.tif 000003
【図２】
2018066167.tif 000004